(57)【特許請求の範囲】
【請求項１】
カラー画像データを受信する受信手段と、
前記受信手段により受信したカラー画像データをモノクロ画像データに変換する変換手段と、
前記変換手段によりカラー画像データをモノクロ画像データに変換する場合に、濃度差が閾値より小さい第１の色の記号と第２の色の記号のサイズ及び形状が同一であると判断されると、前記第１の色の記号と前記第２の色の記号のうち少なくとも一方の記号に装飾を施す装飾手段と、
前記装飾手段により装飾されたモノクロ画像データに従い画像形成を行う画像形成手段と、を有することを特徴とする画像形成装置。
【請求項２】
カラー画像データを受信する受信手段と、
前記受信手段により受信したカラー画像データのうち、特定の色の記号を検出する検出手段と、
前記受信手段により受信したカラー画像データをモノクロ画像データに変換する変換手段と、
前記変換手段によりカラー画像データをモノクロ画像データに変換する場合に、前記検出手段により検出された特定の色の記号に対して装飾を施す装飾手段と、
前記装飾手段により装飾されたモノクロ画像データに従い画像形成を行う画像形成手段と、
前記変換手段により変換されたモノクロ画像データに、記号が変更されたことを通知するか否かを設定する設定手段と、を有することを特徴とする画像形成装置。
【請求項３】
前記装飾手段は、記号を拡大または縮小することで、記号に対して装飾を施すことを特徴とする請求項１又は２に記載の画像形成装置。
【請求項４】
前記装飾手段は、記号に対して下線を付加することで、記号に対して装飾を施すことを特徴とする請求項１又は２に記載の画像形成装置。
【請求項５】
前記装飾手段は、記号の周りの領域のスペースに応じて記号を拡大または縮小することを特徴とする請求項３に記載の画像形成装置。
【請求項６】
前記変換手段により変換されたモノクロ画像データに、記号が変更されたことを通知するか否かを設定する手段を有することを特徴とする請求項１に記載の画像形成装置。
【請求項７】
前記変換手段により変換されたモノクロ画像データをプレビューするプレビュー手段と、前記プレビュー手段により表示される画像データにおいて変更したい記号を選択する手段と、前記選択された記号を別の記号に変更する手段を有することを特徴とする請求項１
又は２に記載の画像形成装置。
【請求項８】
前記装飾手段による装飾を施さない記号の色を選択する手段を有し、前記装飾手段は前記選択された色と異なる色の記号を変更することを決定することを特徴とする請求項１又は２に記載の画像形成装置。
【請求項９】
前記変換手段により変換される前に画像データをプレビューするプレビュー手段と、前記プレビュー手段により表示される画像データにおいて変更したい記号を選択する手段を有し、前記装飾手段は前記選択された記号を変更することを決定することを特徴とする請求項１又は２に記載の画像形成装置。
【請求項１０】
カラー画像データを受信する受信ステップと、
前記受信ステップで受信したカラー画像をモノクロ画像データに変換する変換ステップと、
前記変換ステップによりカラー画像データをモノクロ画像データに変換する場合に、濃度差が閾値より小さい第１の色の記号と第２の色の記号のサイズ及び形状が同一であると判断されると、前記第１の色の記号と前記第２の色の記号のうち少なくとも一方の記号に装飾を施す装飾ステップと、
前記装飾ステップにより装飾されたモノクロ画像データに従い画像形成を行う画像形成ステップと、を有することを特徴とする画像形成方法。
【請求項１１】
カラー画像データを受信する受信ステップと、
前記受信ステップにより受信したカラー画像データのうち、特定の色の記号を検出する検出ステップと、
前記受信ステップにより受信したカラー画像データをモノクロ画像データに変換する変換ステップと、
前記変換ステップによりカラー画像データをモノクロ画像データに変換する場合に、前記検出ステップにより検出された特定の色の記号に対して装飾を施す装飾ステップと、
前記装飾ステップにより装飾されたモノクロ画像データに従い画像形成を行う画像形成ステップと、
前記変換ステップにより変換されたモノクロ画像データに、記号が変更されたことを通知するか否かを設定する設定ステップと、を有することを特徴とする画像形成方法。
【請求項１２】
請求項１０又は１１に記載の画像形成方法をコンピュータに実行させるプログラム。
【発明の詳細な説明】
【技術分野】
【０００１】
本発明は、カラー入力画像データをモノクロに変換して出力する際に、文書の内容の可視性低下を軽減する処理に関する。
【背景技術】
【０００２】
コピー、プリント、ファクシミリ機能を兼ね備える複合機（以下、「ＭＦＰ」と記す）やプリンタは、オフィス内において経費削減の一環からカラーＭＦＰであっても、カラープリント出力を極力押さえ、モノクロプリント出力するケースが増えている。カラーデータをモノクロプリント出力する際にカラーデータの輝度レベルが近いデータをモノクロ変換すると視覚的に区別が付かなくなる問題点がある。こうした問題に対して、特許文献１では、視認が難しくなる２つの領域に対して、モノクロ変換時に判断基準により、片方の濃度を変更する提案をしている。また、特許文献２では、色に対してパターンを変更する手段を予め決めておく提案をしている。
【先行技術文献】
【特許文献】
【０００３】
【特許文献１】特開２０００−０５００９８
【特許文献２】特開平０９−００９０７７
【発明の開示】
【発明が解決しようとする課題】
【０００４】
しかしながら、輝度レベルを変化させただけでは、プリンタの状態やプリンタ機能（特に濃度調整系機能）により可視性が向上しないケースがある。また、記号のようにドキュメント中で意味を持っている要素に対して、予め決められている色をパターンに置き換えただけでは、文書の意味を考慮して記号の置き換えが行われない。つまり、ドキュメント作成者の意図が反映されないプリント出力物がプリントされる、という課題が残される。
【課題を解決するための手段】
【０００５】
上述の課題を解決するため、本発明は、カラー画像データを受信する受信手段と、前記受信手段により受信したカラー画像データをモノクロ画像データに変換する変換手段と、前記変換手段によりカラー画像データをモノクロ画像データに変換する場合に、濃度差が閾値より小さい第１の色の記号と第２の色の記号のサイズ及び形状が同一であると判断されると、前記第１の色の記号と前記第２の色の記号のうち少なくとも一方の記号に装飾を施す装飾手段と、前記装飾手段により装飾されたモノクロ画像データに従い画像形成を行う画像形成手段と、を有する画像形成装置を提供する。
【発明の効果】
【０００６】
本発明によれば、カラー画像データのモノクロ出力時に可視性が低下する要素に対して、ドキュメントの作成者の意図をできるだけ崩さずに可視性を向上させることが可能になる。
【図面の簡単な説明】
【０００７】
【図１】ユーザが作成した表の一例
【図２】実施例１の出力結果の一例を示す図
【図３】実施例３の出力結果の一例を示す図
【図４】実施例１の出力結果の一例を示す図
【図５】実施例１の出力結果の一例を示す図
【図６】実施例１の出力結果の一例を示す図
【図７】実施例１に係るデータ処理装置の構成を示すブロック図
【図８】実施例１に係る処理のフローチャートを示す図
【図９】実施例４のＵＩ画面に表示される一例を示す図
【図１０】実施例４のＵＩ画面に表示される一例を示す図
【図１１】実施例１のＵＩ画面に表示される一例を示す図
【図１２】実施例３のＵＩ画面に表示される一例を示す図
【図１３】実施例１の記号記憶部の構成を示す図
【図１４】実施例１のＵＩ画面に表示される一例を示す図
【図１５】実施例３に係るデータ処理装置の構成を示すブロック図
【図１６】実施例１に係る処理のフローチャートを示す図
【図１７】実施例１のＵＩ画面に表示される一例を示す図
【図１８】実施例１に係る処理のフローチャートを示す図
【図１９】実施例２のＵＩ画面に表示される一例を示す図
【図２０】実施例２のＵＩ画面に表示される一例を示す図
【図２１】実施例２のＵＩ画面に表示される一例を示す図
【図２２】ユーザが作成した表の一例を示す図
【図２３】ＭＦＰの構成を示す図
【発明を実施するための形態】
【０００８】
本発明の実施形態に用いられる複合機（以下、「ＭＦＰ」と記す）の構成を図２３に示す。本実施形態では、入力デバイス２３０１であるスキャナで原稿を読み込み、データ処理装置２３０２で処理したビットマップ画像データを出力デバイス２３０３であるプリンタでプリント出力することを例に説明をする。しかし、入力デバイス２３０１、出力デバイス２３０３はＰＣであっても良い。
【０００９】
図１は、本実施形態に用いる、ユーザが作成したカラーの表の一例を示す。記号１０１と記号１０２は、同じ形状、サイズの記号「○」である。しかし、色はお互いに異なる。例えば、Ｂ社の機能Ａ、機能Ｃに関する記号「○」１０２は赤であり、Ｃ社の機能Ａ、機能Ｃに関する記号「○」１０１は青とする。表の説明１０３には、記号１０１と記号１０２の説明がされている。この例では、記号１０２に関する「○実装中（７０％）」の記号「○」は赤であり、記号１０１に関する「○実装中（５０％）」の記号「○」は青である。
【００１０】
＜実施例１＞
図２、４〜８、１１、１３、１４及び１６〜１８を参照して、実施例１の構成を説明する。なお、図２、図４は図１のカラーデータを記号のサイズ変更によりモノクロ出力した際の結果の一例であり、図５、図６は、図１のカラーデータを記号の形状変更によりモノクロ出力した際の結果の一例である。
【００１１】
［ＭＦＰに搭載されているデータ処理装置］
図７に、ＭＦＰに搭載されているデータ処理装置２３０２の構成を示す。データ処理装置２３０２は、入力画像処理部７０１、記号検出部７０２、記号記憶部７０３、Ｂ／Ｗ記号判定部７０４、Ｂ／Ｗ変換部７０５、ガンマ補正処理部７０６、画像形成処理部７０７、ＵＩ部７０８及び送信部７０９で構成されている。
【００１２】
［記号変更の選択］
図１７に、記号を変更する際の方式をユーザが設定するためのＵＩ部７０８に表示される画面の一例を示す。ユーザは、記号の変更方法をプルダウンメニュー１７０１から選択する。サイズを選択すると、記号の形に変更は無く、拡大、縮小による記号の変更を行う。一方、プルダウンメニュー１７０１で形状を選択すると現在の記号とは別の記号に変更する。方式を決定したらボタン１７０２を押下する。選択自体をキャンセルする場合には、ボタン１７０３を押下する。
【００１３】
［サイズが選択された場合］
図７のデータ処理装置２３０２の構成要素７０１〜７０９の処理に関するフローチャートを図８に示す。これは、図１７のプルダウンメニュー１７０１において、ユーザがサイズを選択した場合における処理である。
【００１４】
ステップＳ８０１において、入力画像処理部７０１は、スキャナから取得したビットマップ画像データに対して、入力画像処理（下地除去、色処理、エッジ処理等）を施す。そして、記号検出部７０２は、入力画像処理が終了したビットマップ画像データから記号を検出し、それぞれの記号の位置情報、色情報及びその記号付近に存在する記号情報を検出する。例えば、記号１０１と記号１０２に対しては、位置情報、色情報、さらに表の説明１０３に記載されている「実装中（７０％）」と「実装中（５０％）」が記号情報として検出される。
【００１５】
ステップＳ８０２において、記号記憶部７０３は、検出された記号を記憶する。その際に、記号に対応する記号情報がある場合には、対応付けて記憶する。ステップＳ８０３において、Ｂ／Ｗ記号判定部７０４は、記号記憶部７０３に記憶されている記号の形状をパターンマッチング等の手段により比較し、さらに記号情報を参照し、色が異なるがサイズ、形が同じ記号が存在するかを判定する（第一の判定）。判定の結果がＹＥＳの場合はステップＳ８０４に進み、ＮＯの場合はステップＳ８０９に進む。
【００１６】
ステップＳ８０４において、Ｂ／Ｗ記号判定部７０４は、その２つの記号同士がモノクロ変換後にその記号同士のモノクロ変換後の濃度差が閾値より濃度差が小さいか判定することで濃度が近いか否かを判定する（第二の判定）。近い場合（以後、以上の条件を満たした記号を「重複した記号」と呼ぶ）はステップＳ８０５に進み、ＮＯの場合はステップＳ８０９に進む。
【００１７】
ステップＳ８０５において、Ｂ／Ｗ記号判定部７０４は、重複した記号のうち、変更する記号の選択を行う。選択の際には、記号情報の内容に応じる。例えば、記号１０２には「実装中（７０％）」という記号情報が、記号１０１には「実装中（５０％）」という記号情報が対応付けられているが、数字が大きい「実装中（７０％）」が重要な記号であると判断し、記号１０１を変更する記号として選択する。
【００１８】
ステップＳ８０６において、Ｂ／Ｗ記号判定部７０４は、図１のスペース１０４が、ステップＳ８０５で選択された記号１０１を拡大できる領域を持っているか否かを判断する。スペース１０４が拡大可能な領域を持っていると判断した場合はステップＳ８０７に進み、持っていないと判断した場合はステップＳ８０８に進む。
【００１９】
ステップＳ８０７において、Ｂ／Ｗ記号判定部７０４は、記号１０１の大きさを予め設定されている倍率で拡大する。拡大されると図２に示すように記号２０１となる。スペース１０４が狭く、拡大することが不可能な場合には、ステップＳ８０８において、Ｂ／Ｗ記号判定部７０４は、記号１０１の大きさを予め設定されている倍率で縮小する。縮小されると図４に示すように記号４０１となる。なお、倍率設定については後述する。
【００２０】
記号１０１のサイズ変更が終了したらステップＳ８０９において、Ｂ／Ｗ変換部７０５は、ステップＳ８０１において入力画像処理が終了したビットマップ画像データをモノクロビットマップ画像データに変換する（モノクロ変換）。モノクロビットマップ画像データに変換する方法としては、一般的な方法とする。従って、詳細な説明は省略する。
【００２１】
次にガンマ補正処理部７０６は、モノクロビットマップ画像データに対して、プリンタが持つ最適なガンマによるガンマ補正処理を行う。最後に画像形成処理部７０７は、スクリーンや誤差拡散による画像形成処理をモノクロビットマップ画像データに施し、モノクロ２値画像データに変換する。送信部７０９は、モノクロ２値画像データを印字するプリンタに送信する。モノクロ２値画像データを受信した印字するプリンタは、プリント出力する。
【００２２】
ここで、記号の拡大、縮小倍率の設定について説明する。図１１は、ステップＳ８０７、Ｓ８０８において、記号１０１を拡大、縮小する際にその倍率をユーザが設定するためのＵＩ部７０８に表示される画面の一例である。
【００２３】
ＵＩ部７０８は、スペース１１０１に変更前の記号１０１を、スペース１１０２に拡大、縮小による変更後の記号２０１や記号４０１を表示する。ユーザは、変更後の記号２０１や記号４０１のサイズを目視し、問題が無ければ、ボタン１１０４を押下し、サイズ変更を決定する。問題がある場合には、ユーザは、ボタン１１０３の上下ボタンを押下することにより拡大、縮小の率を変化させ、スペース１１０２において記号２０１や記号４０１のサイズを確認する。確認の結果、問題が無ければ、ボタン１１０４を押下し、サイズ変更を決定する。設定を中止する場合には、ボタン１１０５を押下することにより、設定をキャンセルする。また、ＵＩ部７０８は、決定したサイズをＢ／Ｗ記号判定部７０４に送信する。Ｂ／Ｗ記号判定部７０４は、ステップＳ８０７、Ｓ８０８において変更したサイズを受信し、受信したサイズに応じて処理する。  ただし、拡大時には、記号１０１の周囲にあるスペースをはみ出るくらいのサイズ変更はできないため、ボタン１１０３は、閾値を越えた時点でグレーアウトされる。
【００２４】
＜形状が選択された場合＞
図１７のプルダウンメニュー１７０１において、ユーザが形状を選択した場合における、データ処理装置２３０２の構成要素７０１〜７０９の処理に関するフローチャートを図１６に示す。なお、ステップＳ８０１〜Ｓ８０５、Ｓ８０９に関しては、サイズが選択された場合と同様のため説明を省略する。
【００２５】
ステップＳ１６０１において、Ｂ／Ｗ記号判定部７０４は、記号１０１が変形可能か否かを判断する。変形可能とは、例えば「○」の場合には、中を塗りつぶし「●」にでき、また２つ重ねて「◎」にもできることを指している。しかし、「×」の場合には、塗りつぶしたり、重ねたりすることは不可能である。変形可能であると判断された場合はステップＳ１６０２に進み、変形不可能と判断された場合はステップＳ１６０４に進む。
【００２６】
ステップＳ１６０２において、Ｂ／Ｗ記号判定部７０４は、複数個の変形候補を作成する。ステップＳ１６０３において、Ｂ／Ｗ記号判定部７０４は、作成された変形候補を記号記憶部７０３のデータと照合し、比較することにより、スキャンしたドキュメント内に変形候補が存在するか否かを判断する。変形候補の全てにおいての判断が終了し、存在しないと判断された場合はステップＳ１６０５に進み、存在すると判断された場合はステップＳ１６０４に進む。
【００２７】
ステップＳ１６０５において、Ｂ／Ｗ記号判定部７０４は、記号１０１をその存在しない変形候補の記号５０１に変更する（図５）。全変形候補がスキャンしたドキュメント内に存在する場合は、ステップＳ１６０４において、Ｂ／Ｗ記号判定部７０４は、記号１０１を予め記号記憶部７０３に登録されている記号の中でスキャンしたドキュメント内に存在しない記号６０１に変更する（図６）。また、ステップＳ１６０１で変形不可能であると判断された場合も、ステップＳ１６０４において、Ｂ／Ｗ記号判定部７０４は、記号１０１を予め記号記憶部７０３に登録されている記号の中でドキュメント内に存在しない記号６０１に変更する。
【００２８】
［記号記憶部７０３］
ここで、図７の記号記憶部７０３の構成とそのデータの処理について、図１３、１４及び１８を参照して説明する。図１３は記号記憶部７０３の構成を示す。図１４は、ユーザが変更する記号を設定するためのＵＩ部７０８に表示される画面の一例を示す。
【００２９】
図１３に示すように、記号記憶部７０３は、スプール領域１３０１、登録領域Ａ１３０２、登録領域Ｂ１３０３、登録領域Ｃ１３０４から構成されている。本実施例において、各登録領域は、以下のように区別される。登録領域Ａ１３０２には、ポジティブな意味を持つ記号が集められ、登録領域Ｂ１３０３には、中立的な意味を持つ記号が集められ、登録領域Ｃ１３０４には、ネガティブな意味を持つ記号が集められている。つまり同じ意味合いを持つ記号を集めている。
【００３０】
図１８は、どのようにして変更する記号を選択するのかを示すフローチャートである。まず、ステップＳ１８０１において、Ｂ／Ｗ記号判定部７０４は、記号検出部７０２が検出した記号をスプール領域１３０１に保存する。保存された記号をお互いに比較し、重複した記号を見つける。
【００３１】
ステップＳ１８０２において、Ｂ／Ｗ記号判定部７０４は、スプール領域１３０１内に保存され、重複した記号１０１と、登録領域Ａ１３０２、登録領域Ｂ１３０３、登録領域Ｃ１３０４において登録されている記号との間で形状比較を行う。ここでは、重複した記号１０１は登録領域Ａに属しているものと仮定する。重複した記号１０１がいずれかの登録領域に存在すると判断される場合は、ステップＳ１８０３において、Ｂ／Ｗ記号判定部７０４は、登録領域Ａ１３０２内に存在するその他の記号の中でスプール領域１３０１に存在しない記号６０１を選択する。
【００３２】
一方、ステップＳ１８０２において重複した記号１０１がどの登録領域にも存在しないと判断される場合には、ステップＳ１８０４において、ＵＩ部７０８は図１４の画面を表示する。ＵＩ部７０８は、スペース１４０１に重複した記号を表示する。プルダウンメニュー１４０２には、変更する記号の候補を表示する。表示される記号は、各登録領域からスプール領域１３０１に存在しない記号を選択する。ボタン１４０３が押下されると、ユーザの選択にしたがって、ステップＳ１８０５において、Ｂ／Ｗ記号判定部７０４は記号の変更を行う。ステップＳ１８０６において、Ｂ／Ｗ記号判定部７０４は、スペース１４０１に表示されている変更前の重複した記号を選択された記号が含まれる登録領域に登録する。設定を中止する場合には、ボタン１４０４を押下すると登録作業が中止される。
【００３３】
＜実施例２＞
実施例１においては、変更する記号の決定方法を自動的に記号情報から決定するが、変更する記号の決定に関して、ユーザが自由に設定できる方がより望ましい。そのための構成を図１９〜２２を参照して説明する。
【００３４】
図１９は、重複した記号のどちらを変更するかを設定するためのＵＩ部７０８に表示される画面の一例を示す。
【００３５】
ＵＩ部７０８はプルダウンメニュー１９０１を表示する。ユーザは、プルダウンメニュー１９０１から記号が重複した場合に、変更しない色を選択する。例えば、記号１０２が赤、記号１０１が青と仮定して、ユーザがプルダウンメニュー１９０１で赤系を選択した場合には、ステップＳ８０５において、Ｂ／Ｗ記号判定部７０４は、記号１０１を変更する記号として選択する。設定を決定する場合はボタン１９０２を、中止する場合はボタン１９０３を押下する。
【００３６】
図２０も、図１９と同様に、重複した記号のどちらを変更するかを設定するためのＵＩ部７０８に表示される画面の一例を示す。  ＵＩ部７０８は、入力画像処理部７０１が処理を完了したカラーのビットマップ画像データをプレビューエリア２００１に表示する。ＵＩ部７０８は、重複すると予想された記号が存在する箇所をプレビューエリア２００１において点滅して表示する。ユーザは、点滅している箇所のいずれかをタッチパネル等の手段により選択することにより、変更する記号を選択する。例えば、記号１０１と記号１０２が点滅していて、ユーザが記号１０１を選択した場合には、ステップＳ８０５において、Ｂ／Ｗ記号判定部７０４は、記号１０１を変更する記号として選択する。設定を中止する場合には、ボタン２００２を押下する。
【００３７】
図２１も、図１９、図２０と同様に、重複した記号のどちらを変更するかを設定するためのＵＩ部７０８に表示される画面の一例を示す。ＵＩ部７０８は、プルダウンメニュー２１０１を表示する。ユーザは、変更する記号を示すサインを決定する。設定を中止する場合には、ボタン２１０２を押下する。設定されたサイン情報をＵＩ部７０８は、記号検出部７０２に送信する。
【００３８】
プルダウンメニュー２１０１で「アンダーライン」が設定されている場合を説明する。ステップＳ８０１において、記号検出部７０２は、記号の検出をする際に、アンダーラインの有無も検出する。図２２に示すように、記号１０１の下にアンダーライン２２０１が引かれた場合、アンダーラインがある旨を記号情報に記載し、記号記憶部７０３に記号１０１と対応付けて保存する。ステップＳ８０５において、Ｂ／Ｗ記号判定部７０４は、記憶情報にアンダーラインのサインがあることを認識して、記号１０１を変更する記号として選択する。設定を中止する場合には、ボタン２１０２を押下する。
【００３９】
以上説明したように、実施例２においては、重複した記号のどちらを変更するかを選択できるようになることにより、ユーザが変更する記号の選択に自由度を持つことになる。
【００４０】
＜実施例３＞
実施例１においては、記号を変更した後にプリンタでプリント出力するが、変更された記号を示した方がより望ましい。そのための構成を図３、１２、１５及び１６を参照して説明する。なお、図３は、図１のカラーデータをモノクロ出力した際の結果の一例を示す。
【００４１】
図１２は、プリント出力時に変更箇所があることを通知するか否かの設定をユーザがするためのＵＩ部７０８に表示される画面の一例を示す。ＵＩ部７０８はプルダウンメニュー１２０１を表示する。ユーザは、プルダウンメニュー１２０１において通知するか否かを選択し、ボタン１２０２を押下して決定する。設定を中止する場合はボタン１２０３を押下する。
【００４２】
図１５は、本実施例に用いられるデータ処理装置２３０２の構成を示す。図７の構成との相違は、記号が変更された旨のメッセージをモノクロ２値画像データとして作成するメッセージ作成部１５０１をさらに備える点である。その他の構成要素については図７と同様なので、説明を省略する。
【００４３】
図１６のステップＳ８０９において、モノクロ画像処理が終了すると、ユーザは、変更があったことを示唆するメッセージをプリント出力時に入れるか入れないかを判断する。図１２のプルダウンメニュー１２０１において、ユーザが「通知する」を選択した場合に、メッセージ作成部１５０１は、記号１０１が変更された旨のメッセージをモノクロ２値画像データとして作成する。例えば、図３の場合において、メッセージ作成部１５０１は、「○を●に変更しました」というメッセージを作成する。メッセージ作成部１５０１は、作成されたメッセージをモノクロ２値画像データのスペース３０１に合成し、送信部７０９により、プリンタに送信する。モノクロ２値画像データを受信したプリンタはプリント出力する。
【００４４】
以上説明したように、実施例３においては、変更された記号がどのように変更されたのかを明記することにより、ユーザがどのように変更されたのかを知ることが可能になる。
【００４５】
＜実施例４＞
実施例１においては、記号を変更した後にプリンタでプリント出力するが、プリントする前にプレビューを表示し、変更する記号についての変更が可能な方がより望ましい。そのための構成を図９及び１０を参照して説明する。
【００４６】
図９は、終了したモノクロ画像処理画像を確認するためのＵＩ部７０８に表示される画面の一例を示す。また、図１０は、図９において、変更が必要な場合にユーザが記号を変更するためのＵＩ部７０８に表示される画面の一例を示す。
【００４７】
図１６のステップＳ８０９において、モノクロ画像処理が終了すると、プレビュー画面が図９のプレビューエリア９０１に表示される。ユーザはこのプレビューで問題なければボタン９０３を押下する。これに応じて、プリンタによりプリント出力がスタートする。一方、このプレビューに問題がある場合には、ユーザはボタン９０２を押下する。これにより、変更された記号を再度変更することが可能になる。図１０のスペース１００１は、記号１０１を表示し、プルダウンメニュー１００２に変更可能な記号を表示する。ユーザがプルダウンメニュー１００２において、所望の記号を選択し、ボタン１００３を押下すると、選択された記号に変更され、再び図９のスペース９０１にプレビュー画面が表示される。ボタン１００４を押下すると、変更がキャンセルされ、プリンタによりプリント出力がスタートする。設定を中止する場合には、ボタン９０４を押下する。
【００４８】
以上説明したように、実施例４においては、プレビューにより変更された記号を再度変更することが可能になることにより、ユーザが変更する記号の選択に自由度を持つことになる。
【００４９】
＜その他の実施例＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５０】
７０２  記号検出部
７０３  記号記憶部
７０４  Ｂ／Ｗ記号判定部
７０８  ＵＩ部
【図１】
0005700977.tif 000002
【図２】
0005700977.tif 000003
【図３】
0005700977.tif 000004
【図４】
0005700977.tif 000005
【図５】
0005700977.tif 000006
【図６】
0005700977.tif 000007
【図７】
0005700977.tif 000008
【図８】
0005700977.tif 000009
【図９】
0005700977.tif 000010
【図１０】
0005700977.tif 000011
【図１１】
0005700977.tif 000012
【図１２】
0005700977.tif 000013
【図１３】
0005700977.tif 000014
【図１４】
0005700977.tif 000015
【図１５】
0005700977.tif 000016
【図１６】
0005700977.tif 000017
【図１７】
0005700977.tif 000018
【図１８】
0005700977.tif 000019
【図１９】
0005700977.tif 000020
【図２０】
0005700977.tif 000021
【図２１】
0005700977.tif 000022
【図２２】
0005700977.tif 000023
【図２３】
0005700977.tif 000024